(57)【要約】  本発明の電子機器は、第１表示部１２４を含む表示筐体１２０と、表示筐体と当該表示筐体との対向面に略平行に相対移動可能に係合し、操作画面を表示する第２表示部１６０および操作画面を視認可能に第２表示部に重畳されるタッチパネル１６２を有する操作筐体１５０と、表示筐体と操作筐体との相対位置を検出する位置検出部１５６と、位置検出部により検出された相対位置に応じて、第１表示部に画面が表示されるアプリケーションを決定する制御部と、を備え、制御部は、第１表示部に画面が表示されるアプリケーションに応じて、第２表示部に表示される操作画面を切り替えることを特徴としている。
2009028585.tif 000002
【特許請求の範囲】
【請求項１】
第１表示部を含む表示筐体と、
前記表示筐体と当該表示筐体との対向面に略平行に相対移動可能に係合し、操作画面を表示する第２表示部および該操作画面を視認可能に該第２表示部に重畳されるタッチパネルを有する操作筐体と、
前記表示筐体と前記操作筐体との相対位置を検出する位置検出部と、
前記位置検出部により検出された相対位置に応じて、前記第１表示部に画面が表示されるアプリケーションを決定する制御部と、
を備え、
前記制御部は、前記第１表示部に画面が表示されるアプリケーションに応じて、前記第２表示部に表示される前記操作画面を切り替える
ことを特徴とする、電子機器。
【請求項２】
前記制御部は、
前記位置検出部によって所定の前記相対位置が検出されると、当該所定の相対位置に対応するアプリケーションを起動し、当該起動したアプリケーションの画面を前記第１表示部に表示する
ことを特徴とする請求項１に記載の電子機器。
【請求項３】
複数のアプリケーションが並行して実行中である場合、
前記制御部は、
前記位置検出部によって所定の前記相対位置が検出されると、前記複数のアプリケーションのうち、当該所定の相対位置に対応するアプリケーションの画面を前記第１表示部に表示する
ことを特徴とする請求項１に記載の電子機器。
【請求項４】
前記第２表示部は、
前記操作筐体の、前記表示筐体との対向面に具備される
ことを特徴とする請求項１から３のいずれか１項に記載の電子機器。
【請求項５】
前記第２表示部は、前記表示筐体と前記操作筐体との相対移動により露出する表示領域を前記表示筐体と前記操作筐体の相対移動方向に分割した表示領域に基づき、前記位置検出部により検出された相対位置に応じた前記操作画面を表示する
ことを特徴とする請求項１に記載の電子機器。
【請求項６】
前記タッチパネルは、前記分割した表示領域に対応した形状で形成される
ことを特徴とする請求項５に記載の電子機器。
【請求項７】
前記アプリケーションは、前記第２表示部において当該アプリケーションの操作画面の表示に必要な表示領域を確保できる前記表示筐体と前記操作筐体との相対位置に対応付けられ、
前記制御部は、前記位置検出部により検出された相対位置に対応付けられたアプリケーションの画面を前記第１表示部に表示する
ことを特徴とする請求項１から６のいずれか１項に記載の電子機器。
【請求項８】
第１表示部を含む表示筐体と、該表示筐体と当該表示筐体との対向面に略平行に相対移動可能に係合し、操作画面を表示する第２表示部および該操作画面を視認可能に該第２表示部に重畳されるタッチパネルを有する操作筐体と、を備える電子機器上で遂行される入力インターフェース切替方法であって、
前記表示筐体と前記操作筐体との相対位置を検出し、
前記検出された相対位置に基づき前記第１表示部に画面が表示されることが決定されたアプリケーションに応じて、前記第２表示部に表示される前記操作画面を切り替える
ことを特徴とする、入力インターフェース切替方法。
【発明の詳細な説明】
【技術分野】
【０００１】
本発明は、表示筐体と操作筐体とが相対移動可能に係合した電子機器およびそのような電子機器上で遂行される入力インターフェース切替方法に関する。
【背景技術】
【０００２】
近年、携帯電話やＰＨＳ（Personal Handy phone System）、ＰＤＡ（Personal Digital Assistant）、モバイルパーソナルコンピュータに代表される携帯端末等の電子機器は、小型、軽量化が進み、その機能も充実してきた。また、着信待ち受け時にはコンパクト化し、使用時には操作し易い形態に変形可能な電子機器も供給されている。かかる電子機器は、例えば、表示筐体と操作筐体とがレール、ヒンジ、軸受け等で係合した構成となっており、スライド式、折り畳み式、回転式といった様々な変化態様がとられている。【０００３】
このような形態変化を伴う電子機器において、表示筐体に対し操作筐体を相対的にスライドし、スライド途中の所定の位置で係止するとカメラ等の撮像機能が自動的に起動する技術が知られている（例えば、特許文献１）。かかる技術では、煩雑な操作を行うことなく、スライドにおける停止位置を変化させるだけといった簡単な操作で撮像機能を利用することができる。また、スライド可能な２つの筐体を有するカメラにおいて、着信待ち受け時には操作部を保護し、使用時には筐体をスライドして操作部を露出させる技術（例えば、特許文献２）も知られている。【０００４】
また、スライド可能な方向を複数設け、そのスライド方向に応じて相異するアプリケーションを起動する技術、例えば、一方にスライドするとＴＶ視聴、他方にスライドすると撮像機能を起動する技術も知られている（例えば、特許文献３）。【０００５】
さらに他の例では、筐体に独立した複数段の操作部を積層し、その操作部を選択的に抜き出し露呈させることで任意の操作部を操作する技術も知られている（例えば、特許文献４）。
【特許文献１】特開２００５−２７７４６８号公報
【特許文献２】特開２００６−３１３１９７号公報
【特許文献３】特開２００５−３４１４８０号公報
【特許文献４】特開２００３−３１９０４４号公報
【発明の開示】
【発明が解決しようとする課題】
【０００６】
上述した技術では、２つの筐体の相対位置を変化させるだけで、自動的にアプリケーションを起動することが可能となる。しかし、そのアプリケーションを操作する操作キーが固定的に設けられているため、入力インターフェースの機能、配置、数が制限され、多用なアプリケーションを十分に活用することができなかった。【０００７】
また、固定の操作キー（固定の入力インターフェース）が用いられる上記の技術では、ユーザの違いによって入力インターフェースを個々に変更することができなかった。従って、複雑な入力インターフェースを不要とする子供や老人においても、その不要な操作キーを排除することができず、多用な入力インターフェースが却って操作性向上の妨げとなることもあった。【０００８】
本発明は、従来の技術が有する上記問題点に鑑みてなされたものであり、本発明の目的は、容易かつ迅速に起動できるアプリケーションと、使い勝手のよい入力インターフェースを提供することで、ユーザの利便性を向上することが可能な、電子機器および入力インターフェース切替方法を提供することである。
【課題を解決するための手段】
【０００９】
上記課題を解決するために、本発明のある観点によれば、第１表示部を含む表示筐体と、表示筐体と当該表示筐体との対向面に略平行に相対移動可能に係合し、操作画面を表示する第２表示部および操作画面を視認可能に第２表示部に重畳されるタッチパネルを有する操作筐体と、表示筐体と操作筐体との相対位置を検出する位置検出部と、位置検出部により検出された相対位置に応じて、第１表示部に画面が表示されるアプリケーションを決定する制御部（端末制御部）と、を備え、制御部は、第１表示部に画面が表示されるアプリケーションに応じて、第２表示部に表示される操作画面を切り替えることを特徴とする、電子機器が提供される。【００１０】
制御部は、位置検出部によって所定の相対位置が検出されると、当該所定の相対位置に対応するアプリケーションを起動し、当該起動したアプリケーションの画面を第１表示部に表示されてもよい。【００１１】
複数のアプリケーションが並行して実行中である場合、制御部は、位置検出部によって所定の相対位置が検出されると、複数のアプリケーションのうち、当該所定の相対位置に対応するアプリケーションの画面を第１表示部に表示してもよい。【００１２】
第２表示部は、操作筐体の、表示筐体との対向面に具備されていてもよい。【００１３】
第２表示部は、表示筐体と操作筐体との相対移動により露出する表示領域を表示筐体と操作筐体の相対移動方向に分割した表示領域（操作ブロック）に基づき、位置検出部により検出された相対位置に応じた操作画面を表示してもよい。【００１４】
タッチパネルは、分割した表示領域に対応した形状で形成されてもよい。【００１５】
アプリケーションは、第２表示部において当該アプリケーションの操作画面の表示に必要な表示領域を確保できる表示筐体と操作筐体との相対位置に対応付けられ、制御部は、位置検出部により検出された相対位置に対応付けられたアプリケーションの画面を第１表示部に表示してもよい。【００１６】
上記課題を解決するために、本発明の他の観点によれば、第１表示部を含む表示筐体と、表示筐体と当該表示筐体との対向面に略平行に相対移動可能に係合し、操作画面を表示する第２表示部および操作画面を視認可能に第２表示部に重畳されるタッチパネルを有する操作筐体と、を備える電子機器上で遂行される入力インターフェース切替方法であって、表示筐体と操作筐体との相対位置を検出し、検出された相対位置に基づき第１表示部に画面が表示されることが決定されたアプリケーションに応じて、第２表示部に表示される操作画面を切り替えてもよい。【００１７】
上述した、電子機器の技術的思想に基づく構成要素やその説明は、当該入力インターフェース切替方法にも適用可能である。
【発明の効果】
【００１８】
以上説明したように本発明では、容易かつ迅速に起動できるアプリケーションと、使い勝手のよい入力インターフェースを提供することで、ユーザの利便性を向上することが可能となる。
【図面の簡単な説明】
【００１９】
【図１】携帯電話の概略的な機能を示した機能ブロック図である。
【図２】携帯電話の概略的な構成を説明するための外観斜視図である。
【図３】２つの筐体の相対位置とアプリケーションとの関係を示した説明図である。
【図４】着信待ち受け時における携帯電話の外観を示している。
【図５】１段階スライドした携帯電話の外観を示している。
【図６】２段階スライドした携帯電話の外観を示している。
【図７】３段階スライドした携帯電話の外観を示している。
【図８】４段階（最終段階）スライドした携帯電話の外観を示している。
【図９】タッチパネルの形状を説明するための説明図である。
【図１０】ＴＶ視聴機能および撮像機能の起動位置の変更を説明するための説明図である。
【図１１】操作キーの配置を単純化した例を示した説明図である。
【図１２】入力インターフェース切替方法の具体的な動作を示したフローチャートである。
【図１３】３段階スライドした携帯電話の他の例の外観を示している。
【符号の説明】
【００２０】
１００  …携帯電話
１２０  …表示筐体
１２４  …第１表示部
１５０  …操作筐体
１５６  …位置検出部
１５８  …アプリケーション切替部
１６０  …第２表示部
１６２  …タッチパネル
１６８  …操作ブロック
【発明を実施するための最良の形態】
【００２１】
以下に図面を参照しながら、本発明の好適な実施の形態について詳細に説明する。なお、本明細書及び図面において、実質的に同一の機能構成を有する構成要素については、同一の符号を付することにより重複説明を省略する。【００２２】
また、本実施形態の理解を容易にするため、電子機器として特に携帯電話を挙げる。以下、本実施形態における携帯電話の全体的な構成について説明し、その後に入力インターフェースの切替方法に関する説明を行う。【００２３】
図１は、携帯電話１００の概略的な機能を示した機能ブロック図であり、図２は、携帯電話１００の概略的な構成を説明するための外観斜視図である。かかる携帯電話１００は、表示筐体１２０と、その表示筐体１２０との対向面に略平行に相対移動（スライド）可能に係合した操作筐体１５０とから形成される。表示筐体１２０は、音声出力部１２２と、第１表示部１２４とを含んで構成され、操作筐体１５０は、制御部としての端末制御部１５２と、メモリ１５４と、位置検出部１５６と、アプリケーション切替部１５８と、第２表示部１６０と、タッチパネル１６２と、音声入力部１６４と、無線通信部１６６とを含んで構成される。【００２４】
音声出力部１２２は、スピーカで構成され、携帯電話１００で受信した通話相手の音声信号を音声に変えて出力する。また、音声出力部１２２は、着信音や、後述する第２表示部１６０とタッチパネル１６２とによる入力インターフェースの操作音、アラーム音等も出力できる。【００２５】
第１表示部１２４は、カラーまたはモノクロの液晶ディスプレイや有機ＥＬ(Electro Luminescence)ディスプレイ等で構成され、携帯電話１００内のメモリ１５４に記憶された、または通信網を介してアプリケーション中継サーバ（図示せず）から提供される、Ｗｅｂコンテンツやスケジュール管理等のアプリケーションのＧＵＩ（Graphical User Interface）等を表示する。【００２６】
端末制御部１５２は、中央処理装置（ＣＰＵ）を含む半導体集積回路により構成され携帯電話１００全体を管理および制御する。端末制御部１５２は、メモリ１５４に記憶されているプログラムを用いて、携帯電話１００を利用した通話機能、文字入力機能、音楽再生機能、撮像機能、ＴＶ視聴機能、Ｗｅｂブラウザ等様々なアプリケーションを遂行する。【００２７】
メモリ１５４は、ＲＯＭ、ＲＡＭ、ＥＥＰＲＯＭ、不揮発性ＲＡＭ、フラッシュ記憶部、ＨＤＤ等で構成され、端末制御部１５２で処理されるプログラムやその他のデータファイル等を記憶する。【００２８】
位置検出部１５６は、磁気センサで構成され、表示筐体１２０と操作筐体１５０との相対位置を検出する。本実施形態の携帯電話１００は、表示筐体１２０と操作筐体１５０とが段階的にスライドする。従って、位置検出部１５６はその段階的なスライド位置さえ検出できればよく、高い分解能を必要としないので、小型、低コストのセンサを用いることができる。位置検出部１５６としては、磁気センサの他に、光センサや物理的スイッチを用いることもできる。以下、本実施形態では、４段階にスライドする構成を例に挙げて説明する。【００２９】
アプリケーション切替部１５８は、位置検出部１５６によって検出された表示筐体１２０と操作筐体１５０との相対位置に応じて、起動するアプリケーションを切り替える（決定する）。つまり、アプリケーションは表示筐体１２０と操作筐体１５０との相対位置に予め対応付けられており、両筐体をスライドさせてその相対位置を変化させることで、その位置に応じたアプリケーションを起動させる。また、複数のアプリケーションを同時に動作可能で、動作中のアプリケーションのうちの１つのアプリケーションを第１表示部１２４に表示する携帯電話１００においては、アプリケーション切替部１５８は、第１表示部１２４に表示するアプリケーションの画面を、動作中の複数のアプリケーション間で切り替える。【００３０】
なお、アプリケーション切替部１５８は、表示筐体１２０と操作筐体１５０とが所定の相対位置にスライドされた際に、当該相対位置において両筐体が静止状態にある時間を計測し、両筐体が所定時間以上静止状態にあると判定した場合に、当該相対位置に応じたアプリケーションを起動する。かかる構成により、表示筐体１２０と操作筐体１５０のスライド位置を所望のアプリケーションが起動する位置に移動する際に、他のアプリケーションが起動する位置を経由した場合に、他のアプリケーションが起動することを避けることができる。【００３１】
第２表示部１６０は、カラーまたはモノクロの液晶ディスプレイや有機ＥＬディスプレイ等で構成され、ユーザ入力を受け付けるための操作キーを表示する。タッチパネル１６２は、第２表示部１６０の前面に配設され、ユーザの指などによる入力を、その入力位置に応じて、第２表示部１６０に表示される操作キーへの入力として受け付ける。つまり、第２表示部１６０とタッチパネル１６２は、入力インターフェースを構成する。【００３２】
第２表示部１６０とタッチパネル１６２により構成される入力インターフェースは、操作キーを任意の配置で表示し、対応する入力を受け付けることが可能であるため、アプリケーション切替部１５８によりアプリケーションが切り替えられる毎に、そのアプリケーションに応じて操作キーの配置を自在に変更することができ、極めて良好な操作性を得ることができる。【００３３】
したがって、携帯電話１００は、例えば、アプリケーション切替部１５８により、起動するアプリケーション（もしくは、複数のアプリケーションが同時に動作している状態において第１表示部１２４に表示するアプリケーション）としてデジタルカメラが選択された際には、第２表示部１６０に、シャッターやズームなどの操作キーを表示して、デジタルカメラ専用の入力インターフェースを提供し、通話機能が選択された際には、第２表示部１６０に表示する操作キーの配置を変更して、テンキーや発呼、終話キーなどを表示し、通話機能専用の入力インターフェースを提供する。【００３４】
即ち、携帯電話１００は、複数のアプリケーションにそれぞれ最適化した入力インターフェースを提供する。【００３５】
なお、タッチパネル１６２の接触検知方法としては、抵抗膜方式、静電容量方式の他、超音波表面弾性波方式、赤外遮光方式、画像認識等、様々な方式が適用可能であり、いずれかに限定されるものではない。【００３６】
音声入力部１６４は、マイク等の音声認識装置で構成され、通話時等に入力されたユーザの音声を携帯電話１００内で処理可能な電気信号に変換する。【００３７】
無線通信部１６６は、携帯電話網における基地局１７０と無線通信を行う。かかる無線通信としては、基地局１７０内でフレームを時間方向に分割した複数のタイムスロットをそれぞれ携帯電話１００のチャネルに割り当てて通信を行う時分割多重方式（ＴＤＭＡ：Time Division Multiple Access）等がある。【００３８】
図３は、２つの筐体の相対位置と起動する（動作する）アプリケーションとの関係を示した説明図である。スライド式の携帯電話１００では、表示筐体１２０と操作筐体１５０とが、対向面に略平行に相対移動する（スライドする）ことにより開閉状態が変化する。第２表示部１６０は、表示筐体１２０と操作筐体１５０とが開状態となったときに露出する面に形成されている。従って、閉状態となったときには、第２表示部１６０は表示筐体１２０に覆われる。第２表示部１６０は、その全面に操作画面を表示する。【００３９】
例えば、図３（ａ）に示した、スライド式携帯電話１００を閉じた状態を閉状態とすると、１段階スライドした図３（ｂ）の状態ではＴＶ視聴機能、２段階スライドした図３（ｃ）の状態では撮像機能、３段階スライドした図３（ｄ）の状態では音楽再生機能、最終段までスライドした図３（ｅ）の状態では、通話機能や、電子メール、スケジュール管理等における文字入力機能が割り当てられている。【００４０】
ここでは、表示筐体１２０と操作筐体１５０の相対位置（スライド位置）と、動作するアプリケーションとが連動しているので、ユーザは携帯電話１００の外観からいずれのアプリケーションが起動しているのか把握し易く、第１表示部１２４の表示内容を参照することなく、両筐体の相対位置によって所望のアプリケーションが起動していることを認識できる。【００４１】
また、アプリケーションによっては、動作を終了するタイミングを選択することも可能である。例えば、ＴＶ視聴機能、音楽再生機能といったアプリケーションでは、視聴開始後は、様々な形状に変形、例えば、コンパクト化して再生を維持したいという要望がある。このようなアプリケーションでは、一旦起動した後はユーザが意図的に動作を終了するまで表示筐体１２０と操作筐体１５０のスライド位置によらず動作が維持される。こうしてユーザはアプリケーションの継続を表示筐体１２０と操作筐体１５０のスライド位置によらず意図的に操作することが可能となる。【００４２】
図４は、閉状態における携帯電話１００の外観を示している。ここでは、表示筐体１２０と操作筐体１５０とが完全に重なり合い、第２表示部１６０およびタッチパネル１６２が露出しないので操作入力を制限することができる。図４に示す閉状態において、第１表示部１２４は、カレンダーや時刻等の待ち受け画面として設定された画面を表示し、着信時には着信相手の電話番号や登録されている着信相手の名前を表示する。【００４３】
図５は、１段階スライドした携帯電話１００の外観を示している。ここでは、操作筐体１５０の一部が露出し、ＴＶ視聴機能が起動する。そして、第２表示部１６０にはチャンネルを変更するための１または複数の操作キーを含む操作ブロック１６８が表示される。ユーザは、かかる操作ブロック１６８中の左右に向いた三角のいずれかの操作キーにタッチして視聴するＴＶチャンネルを設定する。【００４４】
図６は、２段階スライドした携帯電話１００の外観を示している。ここでは、操作筐体１５０の露出面積が拡大し、撮像機能が起動する。そして、第２表示部１６０には「○」（シャッター）やズーム「＋」「−」、ビデオ切替スイッチ等の操作キーを含む操作ブロック１６８が表示される。ユーザは、かかる操作ブロック１６８の「＋」または「―」の操作キーにタッチして撮像する画像の拡大縮小を行い、「○」の操作キーにタッチして撮像を実行し、また「Ｖｉｄｅｏ」の操作キーにタッチして動画像の撮像モードに切り替えることができる。【００４５】
図７は、３段階スライドした携帯電話１００の外観を示している。ここでは、操作筐体１５０の露出面積がさらに拡大し、音楽再生機能が起動する。そして、第２表示部１６０には、トラックの変更操作、音量調整、リピート再生「Ｒｅｐｅａｔ」、メニュー画面表示「Ｍｅｎｕ」等の操作キーを含む操作ブロック１６８が表示される。ユーザは、かかる操作ブロック１６８の「▲」または「▼」の操作キーにタッチして再生するトラックを設定し、「＋」または「―」の操作キーにタッチして音量の大小を調整する。【００４６】
図８は、４段階（最終段階）スライドした携帯電話１００の外観を示している。ここでは、操作筐体１５０が最大限露出し、通話機能や文字入力機能が遂行可能となる。ユーザは、第２表示部１６０に表示されるテンキーやフルキーを操作して通話相手の電話番号やその他の文字入力を行う。尚、図８に示す第２表示部１６０には、一般の携帯電話の様に、テンキーの各数字に１つまたは複数種の文字が割り当てられ、ユーザは、その文字を選択、変更することにより文字入力を遂行する。【００４７】
なお、操作ブロック１６８は、第２表示部１６０において、ある程度規則的に配置される。例えば、第２表示部１６０の露出部分を、表示筐体１２０と操作筐体１５０のスライド方向（相対移動方向）に等分割し、分割した各領域を１つの操作ブロック１６８として、当該操作ブロック１６８内に関連する操作キーを配置する。例えば、図５に示すように、テレビのチャンネル切替のためのＵＰ／ＤＯＷＮキー（図中では反対方向を向く２つの三角形のキー）は、１つの操作ブロック１６８の両端の領域にそれぞれ配置される。また、図６に示すように、再生するトラックを変更するための操作キー（図中では反対方向を向く２つの三角形のキー）や、音量調整のための操作キー（「＋」、「−」キー）が、１つの操作ブロック１６８の両端の領域にそれぞれ配置される。【００４８】
なお、本実施形態では、図４〜図８に示すように、表示筐体１２０と操作筐体１５０が１段スライドする毎に、操作ブロックが２つずつ増減するよう設定されているが、これに限らず、両筐体が１段スライドする毎に１つもしくは３つの操作ブロックを増減させるよう設定しても良い。【００４９】
このように、操作キーを表示する表示領域の単位としての操作ブロックを、各アプリケーションに共通して設けることにより、この操作ブロックが入力領域の目安になり、アプリケーション毎に操作キーが変更されることによってユーザに与える違和感を軽減し、ユーザに安心感を与えることができる。【００５０】
ここでは、第２表示部１６０への操作ブロック１６８の表示と、タッチパネル１６２における操作ブロック１６８に対応した位置に触れたことの検知とを連動して変化させることで、例えば、図４〜図８で説明したように、入力インターフェースの有効な範囲が変化し、操作ブロック１６８の機能、配置、数が変化した場合であっても準備された機能を確実に遂行することが可能となる。【００５１】
また、表示筐体１２０と操作筐体１５０とをスライドさせることによって、入力インターフェースの有効な範囲が増減する。従って、各アプリケーションに必要な操作ブロック数を考慮し、適切な数の操作ブロック１６８が割り当てられるように、各相対位置に対応付けるアプリケーションを決めるのが望ましい。【００５２】
また、タッチパネル１６２は、第２表示部１６０に規則的に表示される操作ブロック１６８に合わせて、例えば溝といった何らかの機械的な構造を有しても良い。【００５３】
図９は、タッチパネル１６２の形状を説明するための説明図である。図９（ａ）の正面図に示すように、本実施形態のスライド式の携帯電話１００において、アプリケーションの切替位置における表示筐体１２０の端部１８０に対応した、操作筐体１５０のタッチパネル１６２上の位置には、溝１９０が形成される。また、その溝１９０間の操作ブロック１６８に当たるタッチパネル１６２上の部分は、操作キーに見立てた凸形状で形成される。従って、図９（ｂ）のＡＡ断面図に示すように、タッチパネル１６２は、相対移動方向１８２に向かって、段階的な相対位置に対応した規則的な形状、ここでは複数の台形形状が形成される。ただし、ユーザのタッチのし易さを考慮し、溝１９０間の距離を短すぎない適度な長さに保つのが好ましい。【００５４】
かかる構成により、操作ブロック１６８の規則的な配列がより強調され、ユーザが操作ブロック１６８の機能や位置をより迅速に把握することができ、安心感を奏することができる。【００５５】
ここで、タッチパネル１６２自体として上記のような繰り返し形状を形成するのが困難な場合、そのような形状に形成した樹脂をタッチパネル１６２に貼付して同様の機構を形成することができる。【００５６】
上述したような第２表示部１６０とタッチパネル１６２との組合せにより、様々な操作ブロック１６８を形成することができる。このような組合せを利用することのさらなる利点は、一度設定した機能や配置をユーザにより再度設定し直す（カスタマイズする）ことができることである。例えば、表示筐体１２０と操作筐体１５０の相対位置とアプリケーションとの対応関係を任意に設定可能としたり、アプリケーション毎の操作ブロック１６８の機能および配置を任意に設定可能としたりすることができる。【００５７】
図１０は、図５および図６に示したＴＶ視聴機能および撮像機能の起動位置の変更を説明するための説明図である。ここでは、図１０（ａ）に示すように、１段階スライドした相対位置に撮像機能を対応させ、図１０（ｂ）に示すように、２段階スライドした相対位置にＴＶ視聴機能を対応させている。【００５８】
さらに、ユーザ毎に個別に操作キーを配置することができるので、例えば、子供や老人による利用を考慮し、複雑な入力インターフェースが不要な場合には、その様な不要な操作キーを排除し、利用しやすい操作キーのみを残すことができる。【００５９】
図１１は、操作キーの配置を単純化した例を示した説明図である。ここでは、図８に示したような通話機能を利用する場合において、１つの操作ブロック１６８に１つの操作キーを割り当てる。即ち、図８において、所望の宛先の発呼を行う短縮キー（「１．お父さん」、「２．お母さん」、「３．自宅固定」）と終話キー（ＰＷＲ）が、それぞれに１つの操作ブロックに割り当てられている。ユーザは、かかる第２表示部１６０に表示されている宛先を確認し、その宛先をタッチするだけで、容易かつ迅速に所望の相手に発呼することが可能となる。【００６０】
また、かかる個別配置の機能を応用して、ユーザは、防犯機能を奏する操作ブロック１６８を押しやすい位置および大きさにすることや、右利きや左利きに合わせて、操作し易い位置に再配置することができる。従って、真に理想的な操作を行い得る携帯電話１００を形成することが可能となり、携帯電話１００の操作性をさらに向上させることができる。【００６１】
また、ここでは、各操作ブロック１６８を個別にマニュアル設定する構成を述べているが、複数の操作ブロック１６８を想定するユーザに合わせて予め適当に割り当てたモード、例えば、ジュニアモードやシニアモードとして準備されていてもよい。【００６２】
（入力インターフェース切替方法）
次に、上述した第１表示部１２４を含む表示筐体１２０と、第２表示部１６０およびタッチパネル１６２を有する操作筐体１５０と、を備える携帯電話１００上で遂行される入力インターフェース切替方法を説明する。【００６３】
図１２は、入力インターフェース切替方法の具体的な動作を示したフローチャートである。かかる入力インターフェース切替方法では、ユーザが携帯電話１００をスライドし、相対位置が変更された場合に（Ｓ２００）、位置検出部１５６がその表示筐体１２０と操作筐体１５０との相対位置を検出し（Ｓ２０２）、検出された相対位置に応じてアプリケーションと操作画面における操作ブロック１６８の機能および配置とを切り替える（Ｓ２０４）。【００６４】
そして、切り替わったアプリケーションにおいて、ユーザがいずれかの操作ブロック１６８に対応したタッチパネル１６２に接触した場合（Ｓ２０６）、その位置に応じた機能を遂行する（Ｓ２０８）。このような相対位置検出（Ｓ２０２）および機能遂行（Ｓ２０８）を繰り返すことで、所望の機能を果たすことが可能となる。【００６５】
以上説明したような実施形態では、機能が増加されたとしても第２表示部１６０やタッチパネル１６２の占有面積を増やさないことで携帯性を維持しつつ、容易かつ迅速に起動できる多数の機能と使い勝手のよい入力インターフェースを提供することで、ユーザの利便性を向上することが可能となる。また、各アプリケーションで最低限必要な操作ブロック１６８のみを準備すればよいので、占有面積を削減することも可能であり、携帯端末の今後のさらなる小型化、軽量化に対応することが可能である。【００６６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。【００６７】
例えば、上述した実施形態では、スライド式の電子機器を例に挙げたが、かかる場合に限られず、折り畳み式、回転式等様々な形態の電子機器に適用することができ、第２表示部は、その相対移動に応じて操作ブロックを表示する。【００６８】
また、筐体のスライドに応じて起動されるアプリケーションは、上述した実施形態に示されるものに限定されず、様々なアプリケーションを適用することができる。例えば、図１３には、図７に示した３段階スライドした携帯電話１００の他の例を示している。ここでは、３段階スライドした時点でＷｅｂブラウザ機能が起動し、第２表示部１６０には、Ｗｅｂ間の移動操作、お気に入り選択、カーソル移動および決定操作の操作ブロック１６８が表示される。ユーザは、かかる操作ブロック１６８の左右の三角にタッチしてＷｅｂ画面を移動し、四方の矢印によりカーソルを移動する。【００６９】
なお、本明細書の入力インターフェース切替方法における各工程は、必ずしもフローチャートとして記載された順序に沿って時系列に処理する必要はなく、並列的あるいはサブルーチンによる処理を含んでもよい。
【産業上の利用可能性】
【００７０】
本発明は、表示筐体と操作筐体とが相対移動可能に係合した電子機器および入力インターフェース切替方法に利用することができる。
【図１】
2009028585.tif 000003
【図２】
2009028585.tif 000004
【図３】
2009028585.tif 000005
【図４】
2009028585.tif 000006
【図５】
2009028585.tif 000007
【図６】
2009028585.tif 000008
【図７】
2009028585.tif 000009
【図８】
2009028585.tif 000010
【図９】
2009028585.tif 000011
【図１０】
2009028585.tif 000012
【図１１】
2009028585.tif 000013
【図１２】
2009028585.tif 000014
【図１３】
2009028585.tif 000015
【国際調査報告】
2009028585.tif 000016
2009028585.tif 000017